Podtech/llm-jp-corpus-v4-ja_patent huggingface dataset:
(57)【要約】【課題】  器具本体の閉口間緑を覆う額縁に裾拡がり状の筒状体を設け、それを額縁引下げ部とすることで掴みにくかった額縁を容易に引き下げることができ、光源交換作業が容易にできる天井埋込み形照明器具を提供する。【解決手段】  下面開口形の器具本体１０を備える。前記器具本体１０の内部に配置する光源４０を備える。前記器具本体１０の開Ｕ周緑を覆う額縁３０を備える。前記器具本体１０の下面間口部を覆い前記額縁３０で支えられる透光板５０を備える。両脚部がＶ字形に上向きに広がるＶばね７０を備える。前記Ｖばね７０の交点を前記額縁３０に装着する。前記器具本体１０の内側面に前記Ｖばね７０の両脚を弾発的に受ける受金具１１を形成する。前記受金具１１は前記Ｖばね７０を介して前記額縁３０を弾力的に支える。前記額縁３０に沿って装着される筒状体６０を備える。前記筒状体６０を下方の径が拡大する裾拡がり状に形成する。【選択図】    図１
2007103327.tif 000002
【特許請求の範囲】
【請求項１】
下面開口形の器具本体を備え、前記器具本体の内部に配置する光源を備え、前記器具本体の開口周緑を覆う額縁を備え、前記器具本体の下面開口部を覆い前記額縁で支えられる透光板を備え、両脚部がＶ字形に上向きに広がるＶばねを備え、前記Ｖばねの交点を前記額縁に装着し、前記器具本体の内側面に前記Ｖばねの両脚を弾発的に受ける受金具を形成し、前記受金具は前記Ｖばねを介して前記額縁を弾力的に支えるものであり、前記額縁に沿って装着される筒状体を備え、前記筒状体を下方の径が拡大する裾拡がり状に形成したことを特徴とする天井埋込み形照明器具。
【発明の詳細な説明】
【技術分野】
【０００１】  本発明は天井理込み形照明器具に関する。特に、その額縁取付け構造に関する。
【背景技術】
【０００２】  天井理込み形照明器具に透光板が付属する場合は、器具内部の光源を交換する際に、前記透光板を外さなければならない。前記透光板を支える額縁を着脱可能な別ピースとし、光源交換の際に、掴みにくいこの額縁を無理に掴み、これを引き下げる方法も知られている。
【発明の開示】
【発明が解決しようとする課題】
【０００３】  透光板が下面に付いている天井埋込み形器具は、該透光板により下面が塞がれていて光源交換時には、該透光板が支えられている額縁を引き下げ外さないと、この交換が出来ない構造になっている。また額縁はいわゆるＶばねで強く器具本体の受金具に引っぱられているため、薄くて掴みにくい額縁を掴み、これを引き下げることは困難である。
【課題を解決するための手段】
【０００４】  本発明においては、器具本体の開口周縁を覆う額縁を備え、前記器具本体の下面開口部を覆い前記額縁で支えられる透光板を備え、両脚部がＶ字形に上向きに広がるＶばねを備え、前記Ｖばねの交点を前記額縁に装着し、前記器具本体の内側面に前記Ｖばねの両脚を弾発的に受ける受金具を形成し、前記受金具は前記Ｖばねを介して前記額縁を弾力的に支えるものであり、月Ｕ記額縁に沿って装着される筒状体を備え、前記筒状体を下方の径が拡大する裾拡がり状に形成する。
【発明の効果】
【０００５】  本発明によれば器具本体の閉口間緑を覆う額縁に裾拡がり状の筒状体を設け、それを額縁引下げ部とすることで掴みにくかった額縁を容易に引き下げることが出来ので、光源交換作業が容易に出来る。
【発明を実施するための最良の形態】
【０００６】  本発明の実施形態を図１を用いて説明する。本発明に係る天井埋込み形照明器具は下面開口形の器具本体１０を備え、前記器具本体１０の内部に配置する光源（白熱電球）４０を備え、前記器具本体１０の開Ｕ周緑を覆う額縁３０を備え、前記器具本体１０の下面間口部を覆い前記額縁３０で支えられる透光板５０を備え、両脚部がＶ字形に上向きに広がるＶばね７０を備え、前記Ｖばね７０の交点を前記額縁３０に装着し、前記器具本体１０の内側面に前記Ｖばね７０の両脚を弾発的に受ける受金具１１を形成し、前記受金具１１は前記Ｖばね７０を介して前記額縁３０を弾力的に支えるものであり、前記額縁３０に沿って装着される筒状体６０を備え、前記筒状体６０を下方の径が拡大する裾拡がり状に形成する。【０００７】  前記額縁３０はこれに装着された前記筒状体６０を持って引き下げることが出来るので、前記光源４０の交換が容易になる。また前記筒状体６０は裾拡がり状に形成されているため、有害な光遮蔽はないか、僅少である。筒状体６０は両手を広げて掴む取っ手のようなものであり、これにより光源４０交換の作業が容易になる。２０は反射板である。
【図面の簡単な説明】
【０００８】
【図１】本発明に係る天井埋込み形照明器具の断面図
【符号の説明】
１０：器具本体
１１：受金具
２０：反射等
３０：額縁
４０：光源
５０：透光板
６０：筒状体
７０：Ｖばね
【図１】
2007103327.tif 000003
(57)【要約】【課題】  照明器具本体１のＴバー１１からの取外し作業が簡便な天井裏交換形システム天井用照明装置を提供する。【解決手段】  天井面に沿って平行に配置される一対のＴバー１１を備える。前記Ｔバー１１間に着脱自在に配置される照明器具本体１を備え、前記各Ｔバー１１は垂直部の下端から水平に延在する額縁部を具備し、前記照明器具本体１は前記額縁部に載置され支持される水平縁片を具備し、前記各Ｔバー１１は前記垂直部の上端に形成される頂部を具備し、前記水平縁片に固定されそこから前記垂直部に沿って立ち上がる係合金具９を備え、前記係合金具９の途中部分に前記頂部と弾発的に着脱自在に係合する係合部を形成し、前記係合金具の上部に前記係合を解除するように該係合金具の弾力に抗してこれを傾けるための摘み部を形成する。【選択図】    図１
2007103328.tif 000002
【特許請求の範囲】
【請求項１】
天井面に沿って平行に配置される一対のＴバーを備え、前記Ｔバー間に着脱自在に配置される照明器具本体を備え、前記各Ｔバーは垂直部の下端から水平に延在する額縁部を具備し、前記照明器具本体は前記額縁部に載置され支持される水平縁片を具備し、前記各Ｔバーは前記垂直部の上端に形成される頂部を具備し、前記水平縁片に固定されそこから前記垂直部に沿って立ち上がる係合金具を備え、前記係合金具の途中部分に前記頂部と弾発的に着脱自在に係合する係合部を形成し、前記係合金具の上部に前記係合を解除するように該係合金具の弾力に抗してこれを傾けるための摘み部を形成したことを特徴とする天井裏交換形システム天井用照明装置。
【発明の詳細な説明】
【技術分野】
【０００１】    本発明は天井裏交換形システム天井用照明装置に関するものである。
【背景技術】
【０００２】  従来のシステム天井用照明装置は、図３に示すように、天井面に沿って平行に配置される一対のＴバー１１を備え、前記Ｔバー１１間に配置される照明器具本体１を備え、前記各Ｔバー１１は垂直部の下端から水平に延在する額縁部及び垂直部の上端に形成される頂部を具備し、前記照明器具本体１は、前記頂部に搭載される取付金具１０を具備し、前記頂部と弾発的に着脱係合する係合部を取付金具１０に形成する。
照明器具本体１の交換が必要な場合、前記係合部をＴバー１１頂部から解除するときに、工具が必要であり、照明器具本体１のＴバー１１からの取外し作業は簡便でない。
【発明の開示】
【発明が解決しようとする課題】
【０００３】  本発明の目的は、照明器具本体のＴバーからの取外し作業が簡便な天井裏交換形システム天井用照明装置を提供することである。
【課題を解決するための手段】
【０００４】  上記の目的を達成するため、前記水平縁片に固定されそこから前記垂直部に沿って立ち上がる係合金具を備え、前記係合金具の途中部分に前記頂部と弾発的に着脱自在に係合する係合部を形成し、前記係合金具の上部に前記係合を解除するように該係合金具の弾力に抗してこれを傾けるための摘み部を形成し、照明器具本体のＴバーからの取外し作業を簡便化した。
【発明の効果】
【０００５】  前記システム天井用照明装置において前記水平縁片に固定されそこから前記垂直部に沿って立ち上がる係合金具を備え、前記係合金具の途中部分に前記頂部と弾発的に着脱自在に係合する係合部を形成し、前記係合金具の上部に前記係合を解除するように該係合金具の弾力に抗してこれを傾けるための摘み部を形成することにより照明器具本体のＴバーからの取外し作業を簡便化することが出来る。
【発明を実施するための最良の形態】
【０００６】  本発明の実施形態を図１及び図２を用いて説明する。本システム天井用照明装置は、天井面に沿って平行に配置される一対のＴバー１１を備える。前記Ｔバー１１間に着脱自在に配置される照明器具本体１を備え、前記各Ｔバー１１は垂直部の下端から水平に延在する額縁部を具備し、前記照明器具本体１は前記額縁部に載置され支持される水平縁片を具備し、前記各Ｔバー１１は前記垂直部の上端に形成される頂部を具備し、前記水平縁片に固定されそこから前記垂直部に沿って立ち上がる係合金具９を備え、前記係合金具９の途中部分に前記頂部と弾発的に着脱自在に係合する係合部を形成し、前記係合金具の上部に前記係合を解除するように該係合金具の弾力に抗してこれを傾けるための摘み部を形成する。２は反射板Ａ、３は反射板Ｂ、４は固定金具、５は電子安定器、７はランプソケット７、８は蛍光ランプ、１０は取付金具である。【０００７】  以上のように、反射板（２・３）の水平縁片に固定され、それの垂直部に沿って立ち上がる係合金具９を備え、前記係合金具９の途中部分にＴバー１１頂部と弾発的に着脱自在に係合する係合部を形成し、前記係合金具９の上部に前記係合を解除するように該係合金具の弾力に抗してこれを傾けるための摘み部を形成することにより照明器具本体１のＴバーからの取外し作業を簡便化することが出来る。
【図面の簡単な説明】
【０００８】
【図１】本発明に係る天井裏交換形システム天井用照明装置の断面図
【図２】その全体を示す斜視図
【図３】従来装置の断面図
【符号の説明】
１：照明器具本体
２：反射板Ａ
３：反射板Ｂ
４：固定金具
５：電子安定器
７：ランプソケット
８：ランプ
９：係合金具
１０：取付金具
１１：Ｔバー
【図１】
2007103328.tif 000003
【図２】
2007103328.tif 000004
【図３】
2007103328.tif 000005
(57)【要約】【課題】  一般家庭の室内照明用ソケットに、居留守目的で市販のタイマを設置しようとするとき専用ソケットでないので、天井吊下げ式の照明にタイマを使うことができない。また、本体で直接時間を設定する場合には、都度不自然な姿勢で行う必要がある。【解決手段】  一般家庭の天井の吊下げ照明器具用の電源ソケット（メス）と照明器具のソケット（オス）の間に接続できるような構造として指定時間だけ電源を供給するようにリアルタイムで時間を設定する。そして、時間の指定はリモコンによって設定した情報を本体へ転送することで操作を簡便とする。常に通電とタイマの切替スイッチも設ける。【選択図】  図１
2007103332.tif 000002
【特許請求の範囲】
【請求項１】
一般家庭の室内の天井に常設されている天井吊下げ仕様の照明器具用の電源ソケット（メス）と照明器具のソケット（オス）の間に中継できる構造として指定時間だけ電源を供給できるように時間設定する、手軽に居留守できる装置
【発明の詳細な説明】
【技術分野】
【０００１】  従来の市販タイマは一般家庭の天井にある吊下げ式の照明器具の電源ソケットと形状が違っていて照明器具を吊下げることができず使うことができない。本発明は手軽に居留守できる装置の入出力ソケットを装置本体と一体化すると同時に専用のリモコンを併用することで実現する、手軽に居留守できる装置に関するものである。
【背景技術】
【０００２】  従来のタイマ装置は、普通の家庭用コンセントから電源を供給される家電製品に対して設計されていた。しかし、室内の天井吊下げ方式の照明装置に対してはソケットの種類が違うので接続することができない問題がある。変換アダプタを使って接続しても、照明を吊下げすることができない不具合が残る現実がある。
【発明が解決しようとする課題】
【０００３】  従来技術には、次のような欠点があった。
普通の家庭用コンセントから電源を供給される家電製品に使うことを前提としており、天井吊下げ方式の照明装置に対してはソケットの種類が違う。仮に市販の変換アダプタで照明を接続できるようにしても照明を天井から吊下げる効果が期待できない。さらに指定時間をタイマ本体に直接に設定しようとすると、物理的に作業が難しい問題がある。
【課題を解決するための手段】
【０００４】  一般家庭の天井に常設されている天井吊下げ仕様の照明器具用電源ソケット（メス）と照明器具のソケット（オス）の間に手軽な居留守装置を中継できる構造とする。同時に、天井から吊下げる張力を維持できるようにソケットを本体と一体とする構造として専用のリモコン装置によって手元で指定時間を設定して照明装置に送信できるようにした手軽に居留守できる装置。
【発明の効果】
【０００５】  本発明で提案する手軽に居留守できる装置の構成とすることで一般家庭用の居間で普及している照明器具と電源ソケットの間に手軽に居留守できる装置を簡便に追加接続できるメリットがある。そして、リモコンによって時間が指定できるので不自然な姿勢で作業をする必要がないので誰でも手軽に時間設定ができる。最近はこの電源ソケットが一般的になっており、部屋を選ばず、手軽に居留守できる装置を使うことができる。
【発明の実施をするための最良の形態】
【０００６】  以下、本発明の実施をするための最良の形態について説明する。
一般家庭の天井に設置されている天井吊下げ照明用の電源ソケット（メス）に本発明の手軽に居留守できる装置の電源側ソケット（オス）を接続する。次に装置の出力ソケット（メス）に照明器具のソケット（オス）を接続する。そして、タイマの設定はリモコンを使う。まず現在時刻を設定する。さらに、リモコンで実際に照明を点灯（消灯）させたい時間を指定する。その情報を装置本体へ転送すると、照明が指定した時間だけ点灯する。この装置は特に電気の専門的知識がなくても本発明の装置を増設すれば一般家庭の住民が自由に選択した部屋の照明装置を防犯目的として指定時間だけ手軽に点灯や消灯ができるので簡単に居留守ができる。装置の接続も吊下げ照明用電気コンセントと同じ形状なので同じ感覚で電気の専門知識がない人も安全に取付できる。装置に情報を送信するリモコンは比較的近い距離でしか遠隔操作できない赤外線方式を採用することで、見知らぬ他人が同等のリモコン装置で屋外からむやみに操作できないように安全に配慮すると良いだろう。
【図面の簡単な説明】
【０００７】
【図１】  本発明の構造図である。
【符号の説明】
【０００８】  １  ソケット（オス）
２  タイマ本体
３  ソケット（メス）
４  表示パネル
５  リモコン受信部
６  電源ランプ
７  転送完了ランプ
【図１】
2007103332.tif 000003
(57)【要約】【課題】  埋込形照明器具の取付けを容易にする。【解決手段】  天井材３を備える。前記天井材３に器具取付け孔３Ａを形成する。前記器具取付け孔３Ａに下側から取付ける器具本体１を備える。前記器具本体１の下部周縁に形成され前記器具取付け孔３Ａの周縁部を下側から覆う額縁部１Ａを備える。前記器具本体１における前記額縁部１Ａの付近に固着されそこから上方へ延在する複数の取付けばね片２を備える。  前記各取付けばね片２は前記器具取付け孔３Ａの周縁部を斜め上側から押圧して斜め上方に外側へ拡がる下部ばね片部２Ａを具備する。前記各取付けばね片２は前記下部ばね片部２Ａの上端からさらに延在し斜め上方に内側へ窄まる上部ばね片部２Ｂを具備する。前記各取付けばね片２により前記器具本体１を支持する。【選択図】    図１
2007103334.tif 000002
【特許請求の範囲】
【請求項１】
天井材を備え、前記天井材に器具取付け孔を形成し、前記器具取付け孔に下側から取付ける器具本体を備え、前記器具本体の下部周縁に形成され前記器具取付け孔の周縁部を下側から覆う額縁部を備え、前記器具本体における前記額縁部の付近に固着されそこから上方へ延在する複数の取付けばね片を備え、前記各取付けばね片は前記器具取付け孔の周縁部を斜め上側から押圧して斜め上方に外側へ拡がる下部ばね片部を具備し、前記各取付けばね片は前記下部ばね片部の上端からさらに延在し斜め上方に内側へ窄まる上部ばね片部を具備し、前記各取付けばね片により前記器具本体を支持することを特徴とする埋込形照明器具取付け装置。
【発明の詳細な説明】
【技術分野】
【０００１】  本発明は、埋込形照明器具の取付装置に関するものである。
【背景技術】
【０００２】  従来器具においては、埋込形照明器具の取付の際、埋込形照明器具本体における額縁部の付近に固着されそこから外側へ延在する複数の取付けばね片を備え、各取付けばね片を天井材の器具取付け孔に入るように各取付けばね片を内側に窄まめてから埋込形照明器具本体を押し上げて取付けていた。
【発明の開示】
【発明が解決しようとする課題】
【０００３】  本発明の目的は、埋込形照明器具の取付けを容易にすることである。
【課題を解決するための手段】
【０００４】  上記目的を達成するために、天井材の器具取付け孔に下側から取付ける器具本体とその下部周縁に形成される額縁部を備え、器具本体における額縁部の付近に固着されそこから上方へ延在する複数の取付けばね片を備え、複数の取付けばね片は器具本体の周囲に等間隔に配置され、各取付けばね片は器具取付け孔の周縁部を斜め上側から押圧して斜め上方に外側へ拡がる下部ばね片部を具備し、各取付けばね片は下部ばね片部の上端からさらに延在し斜め上方に内側へ窄まる上部ばね片部を具備し、各取付けばね片により器具本体を支持することで目的を達成できる。
【発明の効果】
【０００５】  本発明によれば、埋込形照明器具の取付けを容易にすることができる。
【発明を実施するための最良の形態】
【０００６】  本発明の実施形態を図１〜図３を用いて説明する。本発明との差異を明らかにするために、図４〜図６の従来例を先に説明する。
図４〜図６の従来例では、天井材３に器具取付け孔３Ａを形成し、前記器具取付け孔３Ａの下側から取付ける器具本体１において、前記器具本体１の各ばね片４をそれぞれ内側に窄めてからを前記天井材３の前記器具取付け孔３Ａに各前記ばね片４を入れてから、前記器具本体１を押し上げて取付けていた。【０００７】  本発明に係る図１〜図３においては、前記器具本体１を備え、前記器具本体１の下部周縁に形成され前記器具取付け孔３Ａの周縁部を下側から覆う額縁部１Ａを備え、前記器具本体１における前記額縁部１Ａの付近に固着されそこから上方へ延在する複数の取付けばね片２を備え、前記各取付けばね片２は前記器具取付け孔３Ａの周縁部を斜め上側から押圧して斜め上方に外側へ拡がる下部ばね片部２Ａを具備し、前記各取付けばね片２は前記下部ばね片部２Ａの上端からさらに延在し斜め上方に内側へ窄まる上部ばね片部２Ｂを具備する。【０００８】  前記器具本体１を前記天井材３に前記器具取付け孔３Ａに取付けの際、前記上部ばね片部２Ｂから容易に入れることができ、さらに前記器具本体１を押し上げると前記下部ばね片部２Ａに差し掛かったところで前記下部ばね片部２Ａを押し上げて、各前記ばね片２により器具本体を支持することができ、前記器具本体１を容易に取付けることができる。
【図面の簡単な説明】
【０００９】
【図１】本発明器具の断面図
【図２】同器具の取付けの過程図１
【図３】同器具の取付けの過程図２
【図４】従来器具の断面図
【図５】同器具の取付けの過程図１
【図６】同器具の取付けの過程図２
【符号の説明】
１：器具本体
１Ａ：額縁部
２：取付けばね片（本発明）
２Ａ：下部ばね片部
２Ｂ：上部ばね片部
３：天井材
３Ａ：器具取付け孔
４：ばね片（従来）
【図１】
2007103334.tif 000003
【図２】
2007103334.tif 000004
【図３】
2007103334.tif 000005
【図４】
2007103334.tif 000006
【図５】
2007103334.tif 000007
【図６】
2007103334.tif 000008
(57)【要約】【課題】ダイナミックダンパの弾性部材と軸部材の間に水分が溜まらないようにすることである。【解決手段】筒状の弾性部材１の内径面から外径面に貫通する貫通孔３と、内径面で貫通孔３に連なる周溝４ａおよび螺旋溝４ｂを設けることにより、弾性部材１と軸部材１１の間に浸入した水分を、軸部材１１の回転に伴う遠心力によって、周溝４ａと螺旋溝４ｂから貫通孔３に導いて外部へ放出し、弾性部材１と軸部材１１の間に水分が溜まらないようにした。【選択図】図１
2007255618.tif 000002
【特許請求の範囲】
【請求項１】
回転する軸部材の外周に装着される筒状の弾性部材と、この弾性部材に固定される質量部材とからなるダイナミックダンパにおいて、前記筒状の弾性部材の内径面から外径面に貫通する貫通孔を設けたことを特徴とするダイナミックダンパ。
【請求項２】
前記筒状の弾性部材の内径面に、前記貫通孔に連なる溝を設けた請求項１に記載のダイナミックダンパ。
【請求項３】
前記貫通孔に連なる溝を円周方向に延びる周溝とした請求項２に記載のダイナミックダンパ。
【請求項４】
前記貫通孔に連なる溝を螺旋溝とした請求項２に記載のダイナミックダンパ。
【発明の詳細な説明】
【技術分野】
【０００１】
本発明は、自動車のドライブシャフトやプロペラシャフト等の回転する軸部材に装着されて、軸部材の撓み振動や捩じり振動等の有害振動を吸収するダイナミックダンパに関する。
【背景技術】
【０００２】
自動車のドライブシャフトやプロペラシャフト等の回転する軸部材には、その撓み振動や捩じり振動等の有害振動を吸収するために、筒状の弾性部材と、この弾性部材に固定される質量部材とからなるダイナミックダンパが装着される。このようなダイナミックダンパを装着した軸部材では、外周に装着された筒状の弾性部材との間に雨水等の水分が浸入し、弾性部材と軸部材との間に溜まった水分が、ダイナミックダンパの振動吸収性能を低下させたり、軸部材を腐食させたりすることがある。
【０００３】
このようなダイナミックダンパの弾性部材と軸部材の間への水分の浸入を防止する手段としては、筒状の弾性部材の軸端部に、外側に向けて内径が小さくなるように突出する中空円錐台状の遮断部材を設け、弾性部材の軸端部からの水分の浸入を防止するようにしたダイナミックダンパがある（例えば、特許文献１参照）。
【０００４】
【特許文献１】特開平７−２４８０４５号公報
【発明の開示】
【発明が解決しようとする課題】
【０００５】
特許文献１に記載されたダイナミックダンパは、弾性部材と軸部材の間への水分の浸入をある程度防止できるが、水分が毛細管現象等によって中空円錐台状の遮断部材と軸部材との間から浸入することがあり、一度浸入した水分は外部へ逃げることがないので、弾性部材と軸部材との間に溜る。このためやはり、ダイナミックダンパの振動吸収性能を低下させたり、軸部材を腐食させたりする問題がある。
【０００６】
そこで、本発明の課題は、ダイナミックダンパの弾性部材と軸部材の間に水分が溜まらないようにすることである。
【課題を解決するための手段】
【０００７】
上記の課題を解決するために、本発明は、回転する軸部材の外周に装着される筒状の弾性部材と、この弾性部材に固定される質量部材とからなるダイナミックダンパにおいて、前記筒状の弾性部材の内径面から外径面に貫通する貫通孔を設けた構成を採用した。
【０００８】
すなわち、筒状の弾性部材の内径面から外径面に貫通する貫通孔を設けることにより、筒状の弾性部材と軸部材との間に浸入した水分を、軸部材の回転に伴う遠心力で、弾性部材の内径面から外径面に貫通する貫通孔から外部へ放出し、弾性部材と軸部材の間に水分が溜まらないようにした。
【０００９】
前記筒状の弾性部材の内径面に、前記貫通孔に連なる溝を設けることにより、弾性部材と軸部材の間に浸入した水分をこの溝で貫通孔の部位に導き、より効率よく水分を外部へ放出することができる。
【００１０】
前記貫通孔に連なる溝は円周方向に延びる周溝とすることができる。
【００１１】
前記貫通孔に連なる溝は螺旋溝とすることもできる。
【発明の効果】
【００１２】
本発明のダイナミックダンパは、筒状の弾性部材の内径面から外径面に貫通する貫通孔を設けることにより、筒状の弾性部材と軸部材の間に浸入した水分を、軸部材の回転に伴う遠心力で、弾性部材の内径面から外径面に貫通する貫通孔から外部へ放出するようにしたので、弾性部材と軸部材の間に水分が溜まることはなく、ダイナミックダンパの振動吸収性能の低下や軸部材の腐食を防止することができる。
【００１３】
前記筒状の弾性部材の内径面に、貫通孔に連なる溝を設けることにより、弾性部材と軸部材の間に浸入した水分をこの溝で貫通孔の部位に導き、より効率よく水分を外部へ放出することができる。
【発明を実施するための最良の形態】
【００１４】
以下、図面に基づき、本発明の実施形態を説明する。このダイナミックダンパは、図１（ａ）、（ｂ）に示すように、回転する軸部材１１の外周に装着された筒状の弾性部材１と、この弾性部材１に固定された金属製の質量部材２とからなる。軸部材１１は拡径部１１ａを有し、弾性部材１はこの拡径部１１ａとその両側で軸部材１１を覆うように装着されており、拡径部１１ａの外周側で大径とされた弾性部材１の大径部１ａに、質量部材２が埋め込んで固定されている。
【００１５】
前記弾性部材１の大径部１ａの両側には、内径面から外径面に貫通する貫通孔３が、９０°の位相で円周方向の４箇所に設けられ、弾性部材１の内径面には、これらの貫通孔３に連なる周溝４ａと、周溝４ａを介して貫通孔３に連なる複数の螺旋溝４ｂとが設けられている。したがって、弾性部材１と軸部材１１の間に浸入する水分が、軸部材１１の回転に伴う遠心力によって、周溝４ａと螺旋溝４ｂから貫通孔３に導かれ、外部に放出される。
【００１６】
上述した実施形態では、弾性部材の貫通孔を軸方向の２箇所で円周方向に４つずつ設け、これらの貫通孔に連なる溝を周溝と螺旋溝としたが、貫通孔の位置や個数、およびこれらに連なる溝の形態は、実施形態のものに限定されることはない。
【図面の簡単な説明】
【００１７】
【図１】ａはダイナミックダンパの実施形態を示す切欠き縦断面図、ｂはａのIb−Ib線に沿った断面図
【符号の説明】
【００１８】
１  弾性部材
１ａ  大径部
２  質量部材
３  貫通孔
４ａ  周溝
４ｂ  螺旋溝
１１  軸部材
１１ａ  拡径部
【図１】
2007255618.tif 000003
(57)【要約】【課題】  棒を整列させて組立てるとき  加工をしなくても簡単にできる  ブロックを提供する。【解決手段】  ブロック（３）の外側壁（４）の上部中心にジョイント（１）を  その内側壁（５）の上部中心には連結穴（２）を設け、内側壁（５）の下部には整列させようとする棒の先端部が一面を残して納まるような溝（６）を設ける。【選択図】図１
2007255691.tif 000002
【特許請求の範囲】
【請求項１】
結合すると物が挟める  ジョイント付きブロック。
【請求項２】
棒を整列できる  ジョイント付きブロック。
【発明の詳細な説明】
【技術分野】
【０００１】  本発明は  アングル、丸、角、平、チャンネル等色々な形状の棒を挟み込めるジョイント付きブロックで  格子、目隠し、衝立、塀等の様に同じ大きさ長さの棒を整列させ組立てようとする時に利用できるものである。
【発明の開示】
【発明が解決しようとする課題】
【０００２】  従来  棒を整列させ組立てようとするときは  溶接やボルト、ネジ等で加工をしなければ成らず  加工をするには技術や道具が必要であり  誰もが簡単にできるものではなかった。
【課題を解決するための手段】
【０００３】  例として  色々な形状の棒の中から本発明は  Ｌ字形のアングルの棒を整列させるものとして説明する。
Ｌ字形のアングルの棒（８）を整列させようとする時、Ｌ字形のブロック（３）の外側壁（４）の上部中心にジョイント（１）をその内側壁（５）の上部中心には他のＬ字形のブロック（３）のジョイント（１）が入れられる連結穴（２）を設け、内側壁（５）の下部にはＬ字形のアングルの棒（８）の先端部が一面を残して納まる様な溝（６）を設けた。
【発明の効果】
【０００４】  本発明はＬ字形のブロック（３）の溝（６）にＬ字形のアングルの棒（８）の先端部を当てがいながら連結穴（２）に他のＬ字形のブロック（３）のジョイント（１）を差し込み入れると溝（６）に有るＬ字形のアングルの棒（８）の先端部はＬ字形のブロック（３）の内側壁（５）と外側壁（４）とで挟まれ固定するので  Ｌ字形のブロック（３）を順次Ｌ字形のアングルの棒（８）の上、下先端部に連結させるだけで  溶接やボルト、ネジ等で加工をすることも無く  技術も道具も使わずに誰もが簡単にＬ字形のアングルの棒（８）を整列させて組立てることができる。
【発明を実施するための最良の形態】
【０００５】  以下発明の実施例について説明する。
Ｌ字形のアングルの棒（８）を整列させて組立てようとする時、Ｌ字形のブロック（３）の内側壁（５）の下部に有る溝（６）にＬ字形のアングルの棒（８）の先端部を当てがいながら連結穴（２）に他のＬ字形のブロック（３）のジョイント（１）を差し込み入れ連結する。
溝（６）に有るＬ字形のアングルの棒（８）の先端部は  連結した他のＬ字形のブロック（３）の外側壁（４）と内側壁（５）とで挟まれ固定される。
これをＬ字形のアングルの棒（８）の上、下先端部に繰り返し取り行なえば  何本でも必要なだけＬ字形のアングルの棒（８）を整列させて組立てることができるし、Ｌ字形のブロック（３）の肉厚（７）を変えることで  整列させて組立てるＬ字形のアングル棒（８）の間隔を  狭くも広くもできる。
また  他の形状の棒を整列させようとする時はＬ字形のブロック（３）の溝（６）を整列させようとする棒の一面を残し納まるような形状にすることで  色々な形状の棒を整列させることができる。
【図面の簡単な説明】
【０００６】
【図１】  本発明の斜視図である。
【図２】  本発明の組立てを示す斜視図である。
【符号の説明】
【０００７】  １  ジョイント
２  連結穴
３  ブロック
４  外側壁
５  内側壁
６  溝
７  肉厚
８  Ｌ字形のアングル
【図１】
2007255691.tif 000003
【図２】
2007255691.tif 000004
(57)【要約】      （修正有）【課題】牛糞で尿を処理することで，効率的に牛糞推肥体積減少と，圃場過肥化抑制調節が出来る牛糞尿処理方法を提供する。【解決手段】異物を分離した尿を，牛糞を燃焼させその熱で尿を蒸発させる。具体的な工程ステップは、尿を布、網、沈殿させる等で異物を分離する。次いで、分離した尿を貯留タンク等に貯める。そして、牛糞を燃焼させて、その熱で分離した尿を貯めた貯留タンク等を加熱して、尿を蒸発させるものである。【選択図】図１
2007255878.tif 000002
【特許請求の範囲】
【請求項１】
一連の牛糞尿処理，尿内混合異物分離後，牛糞燃料の燃焼による尿蒸発処理方法。
【発明の詳細な説明】
【技術分野】
【０００１】本発明は，乾燥牛糞を燃料とし燃焼させ，異物除却した尿を牛糞燃料燃焼による火力により蒸発させる一連の方法である。
【背景技術】
【０００２】従来，牛糞乾燥発酵推肥化，牛糞廃水処理，尿圃場散布等があった。
【発明の開示】
【発明の解決しようとする課題】
【０００３】牛糞推肥体積減少，圃場過肥抑制調節等の問題を解決する為のものです。
【課題を解決するための手段】
【０００４】異物を分離した尿を，牛糞を燃焼させその熱で尿を蒸発させる。
【発明の効果】
【０００５】牛糞で尿を処理することで，効率的に牛糞推肥体積減少と，圃場過肥化抑制調節が出来る。
【発明を実施する為の最良の形態】
【０００６】以下，本発明の実施の形態例を説明する。
（イ）尿を，布，網，沈殿させる等で異物と分離する。
（ロ）分離した尿を貯める。そして熱することが出来る施設を設ける。
（ハ）その貯留タンク等を熱し尿を蒸発させる。
本発明は以上の構成よりなる。
【図面の簡単な説明】
【０００７】
【図１】本発明の１例
【図１】
2007255878.tif 000003
(57)【要約】      （修正有）【課題】河川護岸、海岸線や地下鉄、地下街、土木現場及び家屋の出入り口における緊急水位時の止水方法として現在使用されている土嚢では手間が掛かり過ぎてしまうので、手間の掛からない止水方法を提案する。【解決手段】水袋２を河川護岸、海岸線や地下鉄、地下街、土木現場及び家屋の出入り口設置しておき、警戒水位時に河川の水、又は水道水を注入し、水嚢として使用することで止水する。また、漏水を極力少なくするために水嚢を数スパンに１袋とし、連結部には、目地材を使用する。【選択図】図１
2007255186.tif 000002
【特許請求の範囲】
【請求項１】
危険水位時の水又は水道水を利用して止水し、平穏時には収監する重力式水嚢。
【発明の詳細な説明】
【技術分野】
【０００１】  本発明は、警戒水位時の河川の水又は水道水を使用して止水するシステムに関するものである。
【背景技術】
【０００２】  未だに手間の掛かる土嚢を警戒水位時に使用している。
【発明の開示】
【発明が解決しようとする課題】
【０００３】  緊急時に手間の掛からない方法で止水する方法はないものか。
【課題を解決しようとする手段】
【０００４】  警戒水位時の河川の水又は水道水を使って止水する。また漏水を極力少なくするために水袋は数スパンに１袋とし、連結部には目地材を使用する．
【発明の効果】
【０００５】  土嚢などの材料を必要としないでも充分止水可能となる。
【発明を実施するための最良の形態】
【０００６】  洪水時の水圧に対応する目的を実現した。
【産業上の利用可能性】
【０００７】  河川護岸や海岸線等に収監しておけば、緊急時に簡単に準備出来、小人数で設営可能となる。【０００８】  都市の地下鉄，地下街等の出入口，土木現場の出入口に設置しておけば水災害を激減出来る。【０００９】  家の出入口に設置しておけば床下浸水等の災害を激減出来る。
【図面の簡単な説明】
【００１０】
【図１】重量式水嚢の実施方法を示した説明図である。
【図２】断面図（収監状況）
【符号の説明】
【００１１】    １．鉄蓋
２．水袋
３．単管パイプ（連結用）
４．ブレス材
５．ポンプ
６．バルブ
７．洪水水位
８．警戒水位
９．平穏時に放水
【図１】
2007255186.tif 000003
【図２】
2007255186.tif 000004
(57)【要約】【課題】栓本体が排水口周縁に密着せず洗面台のボウル内の湯が抜けてしまうことのない排水栓装置を提供せんとするもので、栓本体を機械的に上下動作させることなく栓本体により排水口の開閉を行う排水栓装置を提供することをその課題とするものである。【解決手段】支持軸４頭部に栓本体６を設けてなる排水栓装置において、栓本体６を膨縮自在体で構成すると共に、支持軸４に連結された空気管５の空気の圧送、排気により該栓本体６を膨大、収縮することにより、排水口２を閉鎖、開放せしめるものである。【選択図】図１
2007255127.tif 000002
【特許請求の範囲】
【請求項１】
支持軸頭部に栓本体を設けてなる排水栓装置において、栓本体を膨縮自在体で構成すると共に、支持軸に連結された空気管の空気の圧送、排気により該栓本体を膨大、収縮することにより、排水口を閉鎖、開放せしめる排水栓装置。
【発明の詳細な説明】
【技術分野】
【０００１】
本発明は、栓本体を機械的手段による上下動作をさせることなく排水口を開閉することができる排水栓装置に関するものである。さらに詳しくは、支持軸頭部に栓本体を設けてなる排水栓装置において、栓本体を膨縮自在体で構成すると共に、支持軸に連結された空気管の空気の圧送、排気により該栓本体を膨大、収縮することにより、排水口を閉鎖、開放せしめる排水栓装置に関するものである。
【背景技術】
【０００２】
従来から排水栓装置として、特許文献１に示す如く、機械的手段により栓本体を上下動作させ、洗面台、流し等の排水口を開閉する排水栓装置は知られている。この従来の排水栓装置は栓本体をレリースワイヤを介して上下動作させるものである。
【特許文献１】特開２００５−１３３４７３号公報  （図１、要約）
【発明の開示】
【発明が解決しようとする課題】
【０００３】
上記従来の排水栓装置は栓本体を上下動作させるために特に下方動作による栓本体の排水口の閉鎖が充分でない場合があった。即ち、栓本体を下方動作させる場合、栓本体が傾く場合があり、栓本体が排水口周縁に密着せず洗面台のボウル内の湯が抜けてしまうことがあった。本発明は栓本体を上下動作させることなく栓本体により排水口の開閉を行う排水栓装置を提供することをその課題とするものである。
【課題を解決するための手段】
【０００４】
上記課題を解決するために、本発明に係る排水栓装置は、請求項１に記載した如く、支持軸頭部に栓本体を設けてなる排水栓装置において、栓本体を膨縮自在体で構成すると共に、支持軸に連結された空気管の空気の圧送、排気により該栓本体を膨大、収縮することにより、排水口を閉鎖、開放せしめるものである。
【発明の効果】
【０００５】
請求項１に記載の排水栓装置は、排水口を閉鎖する場合は空気管を通じて空気を膨縮自在体である栓本体に圧送する。空気を圧送すると膨縮自在体である栓本体は膨大し排水口を閉鎖する。この場合、膨縮自在体がゴム弾性を有する材質で構成されていると弾性により排水口内面に膨縮自在体が密着し、排水口の閉鎖が確実に行われる。排水口を開放する場合は膨縮自在体である栓本体に圧送された空気を排気すると膨縮自在体は収縮し排水口より小さくなって排水口を開放することになる。
【０００６】
このように、該排水栓装置では栓本体を膨縮自在体で構成すると共に支持軸に連結された空気管の空気の圧送、排気により該膨縮自在体を膨大、収縮せしめ、排水口を閉鎖、開放するために、栓本体を機械的に上下動作させる必要がなく排水口の閉鎖、開放を確実に行うことができるものである。
【発明を実施するための最良の形態】
【０００７】
以下、本発明の実施形態について図面を参照して、詳細に説明する。図１は本発明の排水栓装置の実施例を示す要部断面説明図、図２はヘアーキャッチャーの斜視図、図３は図１に示す実施例の要部拡大図、図４は図１に示す実施例の異なった状態を示す要部断面図である。図において、１は洗面台のボウル、２は排水口、３は排水口部材、４は支持軸、５は空気管、６は栓本体、７はヘアーキャッチャーである。
【０００８】
図１に示すごとく、洗面台のボウル１は湯又は水を溜めて洗顔や手洗いを行いその後、排水口２より排水するものである。排水口部材３は排水口２を形成するもので、この排水口部材３内には頭部に膨縮自在体でなる栓本体６を設けた支持軸４が保持されている。支持軸４は下端に空気管５を接続している。７はヘアーキャッチャーで、髪の毛やゴミを捕捉するものであり、図２、図３に示すごとく中央に支持軸４を挿通保持する保持孔８を形成している。
【０００９】
空気管５は一端を支持軸４に接続し、他端をポンプ９に接続している。この場合、空気管５が支持軸４を兼ねてもよい。栓本体６を形成する膨縮自在体は弾性を有し、空気の圧送により膨大し、空気の排気により収縮するもので、具体的にはゴム、プラスチック等で形成されるものである。栓本体６を構成する膨縮自在体が排気された状態では、図１に示すごとく、折りたたまれ収縮した状態になり排水口２の径より小さなものとなって排水がおこなわれる。
【００１０】
ポンプ９より空気が圧送されると膨縮自在体は折りたたまれた状態から広がると共に弾性により膨大し、図４に示すごとく、排水口２を閉鎖する。ポンプ９からの空気の圧送は手動でもよく、動力を使用しても良い。図１の点線は膨大した膨大栓本体１０を示したものである。この排水栓装置は栓本体６を機械的に上下動させて排水口２を開閉するのではないため、排水口２を確実に開閉できるものである。
【図面の簡単な説明】
【００１１】
【図１】本発明にかかる排水栓装置の要部断面説明図。
【図２】図１に示す実施例に用いたヘアーキャッチャーの斜視図。
【図３】図１に示す実施例の要部拡大図。
【図４】図１に示す実施例の異なった状態の要部断面説明図。
【符号の説明】
【００１２】
１        ボウル
２        排水口
３        排水口部材
４        支持軸
５        空気管
６        栓本体
７        ヘアーキャッチャー
８        保持孔
９        ポンプ
１０      膨大栓本体
【図１】
2007255127.tif 000003
【図２】
2007255127.tif 000004
【図３】
2007255127.tif 000005
【図４】
2007255127.tif 000006
(57)【要約】【課題】  ４サイクルエンジンの吸気、排気バルブを円筒形バルブにした４サイクルエンジンを提供する。【解決手段】  ４サイクルエンジンの吸気、排気バルブを円筒形バルブにすることにより、空気抵抗の低減、機械的損失の低減させたことを特徴とする４サイクルエンジンである。【選択図】図１
2007255406.tif 000002
【特許請求の範囲】
【請求項１】
４サイクルエンジンの吸気、排気バルブを円筒形バルブにすることにより、吸気、排気効率を高めたことを特徴とする４サイクルエンジン。
【発明の詳細な説明】
【技術分野】
【０００１】  本発明は、４サイクルエンジンのバルブを円筒形吸気排気バルブ式とすることにより、吸気排気の気体の流れを改良した４サイクルエンジン用円筒形吸気排気バルブに関するものである。
【背景技術】
【０００２】  従来は、吸気口、排気口のバルブが底辺が広い円錐形をしておりこのため、この部分が吸気行程、排気行程の時、空気抵抗となり、吸排気効率が悪かった。また、カムがバルブを動作させる時の機械的損失もあった。
【発明の開示】
【発明が解決しようとする課題】
【０００３】  この吸排気効率の悪さとカム等の機械的ロスをなくすために、吸排気のバルブを円筒形型のバルブにすると吸気、排気の気体の流れが何の抵抗もなく流れることにより、高効率にしたものである。
【課題を解決するための手段】
【０００４】  本発明は、高効率な４サイクルエンジンにするためにつぎのような手段を発見した。
４サイクルエンジンにおいて、シリンダーの上部に円筒形型吸気排気バルブ（１），（２）を取り付ける。
円筒形型吸排気バルブはエンジンの主軸とタイミングベルトで１：２で連動する。
以上を特徴とする４サイクルエンジンである。
【発明の効果】
【０００５】  ４サイクルエンジンの吸排気バルブを円筒形バルブ（１）（２）にすると、何の抵抗もなく吸気、排気することができるので吸気、排気の流れをスムーズにすることができ、高効率な４サイクルエンジンとすることができる。
【発明を実施するための最良の形態】
【０００６】  以下、本発明の実施の形態について説明する。
シリンダー（３）の上部に円筒形型吸気バルブ（１）、円筒形型排気バルブ（２）を設ける。
本案の動作は、基本的には４サイクルエンジンであるので、吸気、圧縮、点火、燃焼、排気の行程を繰り返すが、従来と異なる点は、吸排気バルブが円筒形型であるので吸気行程、排気行程でスムーズな吸排気を繰り返すことができる。
【図面の簡単な説明】
【０００７】
【図１】  本発明の側面図（吸気行程）である。
【図２】  本発明の側面図（圧縮行程）である。
【図３】  本発明の側面図（点火、燃焼行程）である。
【図４】  本発明の側面図（排気行程）である。
【符号の説明】
【０００８】      １  円筒形型吸気バルブ
２  円筒形型排気バルブ
３  シリンダー
４  ピストン
５  コンロッド
６  クランク軸
７  点火プラグ
【図１】
2007255406.tif 000003
【図２】
2007255406.tif 000004
【図３】
2007255406.tif 000005
【図４】
2007255406.tif 000006
(57)【要約】【課題】解決しようとする課題は、主として集合住宅において、敷地条件や建設費の面から平均階高や建物高さを抑えながら、住戸空間の面から少しでも高い天井高を柔軟に得られる住戸の断面形状を得ること、そしてプライバシーと防犯性の高い住戸を得ることにある。【解決手段】本発明は、標準階高Ｈをもつ２つの住戸が積層する集合住宅にあって、上下２住戸の間に高さα（０＜α＜Ｈ）の空間を挿入し、下の住戸はフラットでその一部を上に凸な断面形状で採り入れて高い天井とし、上の住戸はスキップ・フロアで残りの部分を下に凹な断面形状で採り入れて高い天井を得る。このとき、２住戸の間に挿入する高さαの空間下部の外側に共用廊下・アプローチなどを設け、窓を共用部の床から高い位置に採ることによりプライバシーと防犯性を高めることができる。【選択図】図１
2007255056.tif 000002
【特許請求の範囲】
【請求項１】
集合住宅で積層する２つの住戸にあって、２住戸で２Ｈ＋α（Ｈは標準階高、０＜α＜Ｈ）の階高を持ち、下の住戸はフラットで一部Ｈ＋αの階高を上に凸な断面形状で、上の住戸はスキップ・フロアで一部Ｈ＋αの階高を下に凹な断面形状で、それぞれ共に１層階でＨとＨ＋αの階高を持つことを特徴とする集合住宅。
【発明の詳細な説明】
【技術分野】
【０００１】
本発明は、複数の住空間を積層した集合住宅に関するものである。
【背景技術】
【０００２】
集合住宅において高い天井をを得たい場合、階高を大きくすると水廻りや小部屋の上部に無駄ができ、不経済な造りとなる。高い天井高を効率よく得る従来の技術は、以下の方法がある。
（１）階を２層（メゾネット）あるいは３層（デュプレックス）とし、吹抜けを設ける。
（２）階を１.５層とし、小部屋の下部（あるいは上部）を収納として利用する。
【特許文献１】特開１９９０−２８５１５４公報（３）階は１層のまま、高い天井（約１.５階）を上の階に突き抜ける形で採り、上の住戸では残り（約０.５階）を収納室とする。
【特許文献１】特開１９９５−８２９０３公報（４）階は１層のまま、高い天井（約２階分）を上の階に突き抜ける形で採り、２層階の吹抜けとする。
【特許文献１】特開１９９７−１８９１３９公報（５）階がほぼ１.５層階の複数層住戸ブロック（高階高構造部）と階が１層階の複数層住戸ブロック（低階高構造部）を横に階段でつなぎ、約１.５階の天井高を得る。
【特許文献１】特開２０００−２７４５９公報
【特許文献１】特開２００３−２９３６０２公報
【０００３】
一般的に集合住宅の階高は３.０メートル程度、居室の天井高は２.４〜２.６メートル、非居室の天井高は２.１〜２.３メートルである。効率よく高い天井の居室を得るには、非居室がある部分の階高を２.６５〜２.８メートルにして、居間など主要な居室のある部分の階高を必要とするだけ大きくするのが望ましい。主要な居室の天井高は、部屋の広さや陽射しの導入や気持ち良さとかいった住戸空間からの条件と、敷地に固有の採光や高さ制限（道路・隣地斜線や日影規制等）からの条件によりいろいろで、居室の階高の設定には柔軟性が求められる。
【０００４】
従来の技術は、階高として１階・１.５階・２階を想定し、非居室がある部分の階高をＨＬ・階数をＮとすればＮ階分の建物高さはＨＬ×ＮかＨＬ×（Ｎ＋０.５）となる。敷地の固有の条件に合わせるのには、柔軟性に欠ける。
【０００５】
そして、従来の技術で１.５階相当の高い天井を得ようとする場合、２つの積層する住戸で３階分の高さとなりボリュームが大きくなる。やはり敷地の固有の条件に合わせるのには、柔軟性に欠ける。
【０００６】
また、住戸空間を１.５〜２階にすることのメリットの一つにプライバシーと防犯性の向上が挙げられる。共用廊下やアプローチの床レベルと住戸窓の高さの設定で共用部床からの視線を避け、侵入しずらい窓とすることができる。従来の技術の（１）は可能で、（２）・（３）・（４）は難しく、（５）は一部可能である。
【発明の開示】
【発明が解決しようとする課題】
【０００７】
解決しようとする課題は、主として集合住宅において、敷地条件や建設費の面から平均階高や建物高さを抑えながら、住戸空間の面から少しでも高い天井高を柔軟に得られる住戸の断面形状を得ること、そしてプライバシーと防犯性を高めることにある。
【課題を解決するための手段】
【０００８】
本発明は、標準階高Ｈをもつ２つの住戸が積層する集合住宅にあって、上下２住戸の間に高さα（０＜α＜Ｈ）の空間を挿入し、下の住戸にはその一部を上に凸な断面形状で採り入れて高い天井とし、上の住戸には残りの部分を下に凹な断面形状で採り入れて高い天井を得る。
【０００９】
このとき、２住戸の間に挿入する高さαの空間下部の外側に共用廊下・アプローチなどを設けると、窓を共用部の床から高い位置にすることによりプライバシーと防犯性の向上を図ることができる。
【発明の効果】
【００１０】
本発明の集合住宅は、非居室がある部分の標準階高Ｈに対し、主要な居室がある部分の天井高を自在にＨ＋α（０＜α＜Ｈ）にすることができる。同時に平均階高がＨ＋α／２となり建物全体の高さを抑えることができ、敷地の固有の高さ規制等の条件に合わせることが容易であり、建設費を抑えることができる。
【００１１】
また、共用廊下やアプローチなど共用部の床レベルと住戸窓の高さの設定により、プライバシーと防犯性を高めることができる。
【発明を実施するための最良の形態】
【００１２】
集合住宅で最小基本単位の積層する２つの住戸にあって、標準階高Ｈにさらに付加する天井高α（０＜α＜Ｈ）の空間を２住戸の間に挿入して上下の住戸で分け合って採り入れ、平均階高と建物高さを抑えながら高い天井Ｈ＋αを実現した。
【実施例１】
【００１３】
図１は、積層する２住戸の一般断面で、標準階高Ｈに対しさらにα高い天井を実現。下はフラット、上はスキップフロアの１層階住戸である。α＝０．５Ｈとすれば、平均階高は１．２５Ｈとなる。
【実施例２】
【００１４】
図２は、積層する２住戸の断面で奥行き方向に共用廊下を設ける事例である。挿入する高さαの空間下部の外側に共用廊下５２を設けると住戸１２の窓２２と３２は、廊下から高い位置となる。住戸１１の窓３１を共用廊下５２のすぐ下に設けると共用廊下５１から高い位置となる。共にプライバシーと防犯性を高めることができる。
【産業上の利用可能性】
【００１５】
本発明は、主として集合住宅に提供するだけでなく、集合住宅を有する複合用途の建築やＳＯＨＯ（スモール・オフィス＆ホーム・オフィス）、さらにオフィスビルや商業ビル等にも適用できる。
【図面の簡単な説明】
【００１６】
【図１】積層する２住戸の一般断面を示した説明図である。（実施例１）
【図２】積層する２住戸の断面と奥行き方向に共用廊下・開口部を設ける場合の説明図である。（実施例２）
【符号の説明】
【００１７】
０１，０２，１１，１２    住戸
２１，２２，３１，３２    窓
４１，４２    玄関
５１，５２    共用廊下
Ｈ    標準階高
α    標準より高くしたい天井高さ（０＜α＜Ｈ）
【図１】
2007255056.tif 000003
【図２】
2007255056.tif 000004